(57)【特許請求の範囲】
【請求項１】
負荷をオンオフ制御するスイッチ素子と、
遅れ停止状態を含む、前記負荷の動作状態を表示する発光表示手段と、
マイクロコンピュータを含み、前記発光表示手段の制御を行う制御回路と、
前記制御回路及び前記発光表示手段に電源電圧を供給する一方、その電源電圧の生成時に流れる電流を負荷制御用として前記スイッチ素子のゲート抵抗に供給する立ち上げ用電源回路と、
を具備し、
前記制御回路は、前記遅れ停止状態で、前記発光表示手段に接続する直列抵抗の大小を前記マイクロコンピュータで交互に切り替えて前記発光表示手段を明暗表示可能とし、その交互の切り替え周期を前記遅れ停止状態の動作時間の設定時間に応じて可変することを特徴とする状態表示機能付遅れスイッチ。
【発明の詳細な説明】
【０００１】
【発明の属する技術分野】
本発明は負荷を所定の時間だけ動作させるとともに状態の表示を行う状態表示機能付遅れスイッチに関する。
【０００２】
【従来の技術】
従来、例えば、室内用の照明器具では、スイッチの消灯操作後、照明が直ぐに消灯すると暗い室内を移動しなければならないという不都合があった。このことに対応し、スイッチの消灯操作後、一定時間遅れてから照明を消灯させる特開平２−７２５９６号公報記載の遅れ消灯機能付きスイッチが開発されている。
【０００３】
図４はこのような従来の保持型スイッチを用いた遅れ消灯機能付きスイッチの外装部を示す正面図である。
【０００４】
図４において、符号８１は遅れ消灯機能付きスイッチ８０の外装部であり、この外装部８１は壁８２に取り付けられている。外装部８１には、保持型スイッチの操作部８３が設けられている。操作部８３は、手動操作に従い、右半分あるいは左半分が押された状態を保持する。操作部８３における右端より若干左側の位置には、負荷（照明器具）が消灯状態のとき点灯し、負荷の状態を示すとともに、遅れ消灯機能付きスイッチ８０の位置を示すパイロットランプ８４が設けられている。
【０００５】
図５は図４の遅れ消灯機能付きスイッチの操作部の動作を示す説明図であり、図５（ａ）に消灯状態の側面図、図５（ｂ）に点灯状態の側面図を示している。
【０００６】
図５（ａ）に示す消灯状態では、遅れ消灯機能付きスイッチ８０の操作部８３の右半分が突出した状態となる。この状態で、操作部８３の右半分を押圧すると、図５（ｂ）に示すように、操作部８３の右半分が壁側に後退し左半分が突出した状態となる。ここで、操作部８３の左半分を押圧し、図５（ａ）に示す状態に戻すと、負荷が遅れ消灯状態となり、一定時間経過後、負荷が消灯状態となる。この消灯状態の場合、図４に示すパイロットランプ８４は、点滅点灯となる。一方、パイロットランプ８４は、負荷が消灯状態の場合に、消灯する。
【０００７】
このような従来の遅れ消灯機能付きスイッチでは、遅れ消灯機能付きスイッチ８０の操作部８３が図５（ａ）の状態で、パイロットランプ８４が点滅点灯していることにより遅れ消灯モードであると確認できるようになっていた。
【０００８】
図６は従来のプッシュスイッチを用いた遅れ消灯機能付きスイッチの外装部を示す正面図である。
【０００９】
図６において、符号９１は遅れ消灯機能付きスイッチ９０の外装部であり、この外装部９１は壁９２に取り付けられている。外装部９１には、プッシュスイッチの操作部９３が設けられている。操作部９３は、押圧されることにより、導通状態となり、このことによって、照明器具は点灯状態から遅れ消灯状態、消灯状態から点灯状態への切換えを行う。
【００１０】
外装部９１における左上には、負荷が点灯状態の時点灯し、負荷が遅れ消灯状態のとき点滅点灯し、負荷が消灯状態のとき消灯するパイロットランプ９４が設けられている。
【００１１】
図７は図６の遅れ消灯機能付きスイッチの操作部の動作を示す説明図であり、図７（ａ）に消灯状態の側面図、図７（ｂ）に点灯状態の側面図を示している。
【００１２】
図７（ａ）に示す消灯状態では、操作部９３が突出した状態となる。ここで、操作部９３を押圧すると、点灯状態となり、操作部９３の押圧を止めると、図７（ｂ）に示す状態となり、パイロットランプ９４は、一定照度で点滅点灯する。図７（ａ）に示す消灯状態と、図７（ｂ）に示す点灯状態では、操作部がプッシュスイッチであるため、操作部の外観は同じになる。
【００１３】
図７（ｂ）に示す点灯状態から操作部９３を押圧すると、負荷が遅れ消灯状態となり、一定時間経過後、負荷が消灯状態となる。遅れ消灯状態の時、パイロットランプ９４は、点滅点灯とする。
【００１４】
このような従来の遅れ消灯機能付きスイッチでは、パイロットランプ９４の点灯状態によって、負荷の点灯状態、遅れ消灯状態、消灯状態の判別が行えるので、暗い場所に遅れ消灯機能付きスイッチ８０を配置した場合にも、負荷が点灯状態なのか遅れ消灯状態なのかを区別することができる。
【００１５】
しかしながら、パイロットランプ９４の点滅点灯は、点滅サイクルが高い場合は、人間の目の残像現象から点滅の状態を確認できなかった。この問題は点滅の周波数を低下させればよいが、これでは、パイロットランプ９４を一瞬しか見なかった場合、パイロットランプ９４が消灯状態と誤認し、負荷を消したものと誤認するという問題がある。また、パイロットランプ９４の点滅点灯は、煩わしく、一般家庭では馴染めない欠点があった。
【００１６】
【発明が解決しようとする課題】
上記した従来の遅れ消灯機能付きスイッチでは、パイロットランプの点滅点灯によって、負荷の状態の表示を行っているが、パイロットランプの点滅点灯は、点滅サイクルが高い場合は、人間の目の残像現象から点滅の状態を確認できず、点滅の周波数を低下させた場合においては、パイロットランプを一瞬しか見なかった場合、パイロットランプが消灯状態であると誤認し、負荷の状態を誤認するという問題がある。また、パイロットランプの点滅点灯は、煩わしく、一般家庭では馴染めない欠点があった。
【００１７】
そこで本発明は、パイロットランプの状態を誤認する確率を低下させるとともに、パイロットランプによる表示の煩わしさを低減できる状態表示機能付遅れスイッチを提供することを目的とするものである。
【００１８】
【課題を解決するための手段】
本発明の状態表示機能付遅れスイッチは、負荷をオンオフ制御するスイッチ素子と、遅れ停止状態を含む、前記負荷の動作状態を表示する発光表示手段と、マイクロコンピュータを含み、前記発光表示手段の制御を行う制御回路と、前記制御回路及び前記発光表示手段に電源電圧を供給する一方、その電源電圧の生成時に流れる電流を負荷制御用として前記スイッチ素子のゲート抵抗に供給する立ち上げ用電源回路と、を具備し、前記制御回路は、前記遅れ停止状態で、前記発光表示手段に接続する直列抵抗の大小を前記マイクロコンピュータで交互に切り替えて前記発光表示手段を明暗表示可能とし、その交互の切り替え周期を前記遅れ停止状態の設定時間に応じて可変することを特徴とする。
【００１９】
【発明の実施の形態】
以下、本発明の実施の形態を図面を参照して説明する。
【００２０】
図１及び図２は本発明に係る状態表示機能付遅れスイッチの実施の形態を示し、図１は回路図であり、図２は照明システムに適用した状態のブロック図である。
【００２１】
まず、図２を用いて照明システムの全体について説明する。
【００２２】
図２において、符号１１は交流電源であり、この交流電源１１の一方の出力端子は負荷となる照明器具１２（例えば白熱電球）を介して状態表示機能付遅れスイッチ１３の一方の端子１４に接続される。交流電源１１の他方の出力端子は状態表示機能付遅れスイッチ１３の他方の端子１５に接続される。
【００２３】
次に、図１を用いて状態表示機能付遅れスイッチ１３について詳細に説明する。
【００２４】
図１において、状態表示機能付遅れスイッチ１３の一方の端子１４は、バリスタ等のサージ吸収素子１６と、コンデンサＣ１１との並列接続を介して状態表示機能付遅れスイッチ１３の他方の端子１５に接続される。また、状態表示機能付遅れスイッチ１３の一方の端子１４は、ダイオードブリッジ１７の一方の交流入力端子に接続される。状態表示機能付遅れスイッチ１３の他方の端子１５は、インダクタＬ１１とゲート抵抗Ｒ１１を介して非平滑整流回路となるダイオードブリッジ１７の他方の交流入力端子に接続される。インダンタＬ１１とゲート抵抗Ｒ１１との接続点は、トライアックＱ１１の主電極Ｔ1 −Ｔ2 間を介してダイオードブリッジ１７の一方の入力端子に接続される。トライアックＱ１１のゲートＧは、ゲート抵抗Ｒ１１とダイオードブリッジ１７との接続点に接続される。
【００２５】
このような接続により、状態表示機能付遅れスイッチ１３の端子１４，１５間には、サージ吸収素子１６とコンデンサＣ１１とインダンタＬ１１とから成るノイズフィルタを介してトライアックＱ１１が接続され、ダイオードブリッジ１７は、一方の交流入力端子がトライアックＱ１１の主電極Ｔ2 に接続され、他方の交流入力端子がゲート抵抗Ｒ１１を介してトライアックＱ１１の主電極Ｔ1 に接続される。
【００２６】
ダイオードブリッジ１７の正極側の直流出力端子は、立ち上げ用電源回路２０を介してダイオードブリッジ１７の負極側の直流出力端子に接続されるとともに、スイッチ素子２１の一方の端子に接続される。スイッチ素子２１の他方の端子は、マイクロコンピュータ２２の正極側の電源入力端子ＶDDに接続される。マイクロコンピュータ２２の負極側の電源入力端子ＶSSはダイオードブリッジ１７の負極側の直流出力端子に接続される。
【００２７】
スイッチ素子２１は、フォトカプラＰＣ３０と、抵抗Ｒ３０とから構成される。フォトカプラＰＣ３０は、発光側の発光ダイオードＤ３０と受光側が高耐圧のＮＰＮトランジスタ（フォトトランジスタ）Ｔｒ３０を用いている。発光ダイオードＤ３０は、アノードがダイオートＤ２０と電解コンデンサＣ２０の接続点に接続され、カソードが抵抗Ｒ３０を介してマイクロコンピュータ２２の出力ポートｒ４０に接続される。ＮＰＮトランジスタＴｒ３０は、コレクタがダイオードブリッジ１７の正極側の直流出力端子に接続され、エミッタが電解コンデンサＣ２０の＋極に接続される。
【００２８】
次に、立ち上げ用電源回路２０について説明する。立ち上げ用電源回路２０は、前記操作スイッチＳＷ２０と、電流抑制抵抗器となる抵抗Ｒ２０と、ダイオードＤ２０と、低定電圧ダイオードとなるツェナーダイオードＺＤ２０と、電解コンデンサＣ２０とから構成されている。
【００２９】
ダイオードブリッジ１７の正極側の直流出力端子は、抵抗Ｒ２０を介して操作スイッチＳＷ２０の一方の端子に接続される。操作スイッチＳＷ２０の他方の端子は、ダイオードＤ２０のアノード・カソード路を介してマイクロコンピュータ２２の正極側の電源入力端子ＶDDに接続される。
【００３０】
ダイオードＤ２０のカソードは、電解コンデンサＣ２０を介してダイオードブリッジ１７の負極側の直流出力端子に接続されるとともに、ツェナーダイオードＺＤ２０のカソードに接続される。ツェナーダイオードＺＤ２０のアノードは、ダイオードブリッジ１７の負極側の直流出力端子に接続される。
【００３１】
また、ダイオードＤ２０のカソードは、抵抗Ｒ２１，Ｒ２２の直列接続を介してマイクロコンピュータ２２の出力ポートｒ４１に接続される。
【００３２】
また、ダイオードＤ２０のカソードは、抵抗Ｒ２３とＰＮＰトランジスタＴｒ２１のエミッタ・コレクタ路との並列接続を介してダイオードブリッジ１７の負極側の直流出力端子に接続される。ＰＮＰトランジスタＴｒ２１のベースは抵抗Ｒ２１，Ｒ２２の接続点に接続される。操作スイッチＳＷ２０は、プッシュスイッチとなっており、操作部を押圧した場合のみオンするようになっている。
【００３３】
操作スイッチＳＷ２０の他方の端子は、抵抗Ｒ２４，Ｒ２５との直列接続を介してダイオードブリッジ１７の負極側の直流出力端子に接続される。
【００３４】
また、ダイオードＤ２０のカソードは、抵抗Ｒ２６とＮＰＮトランジスタＴｒ２２のコレクタ・エミッタ路の直列接続を介してダイオードブリッジ１７の負極側の直流出力端子に接続される。ＮＰＮトランジスタＴｒ２２のコレクタはマイクロコンピュータ２２の入力ポートｒ８０に接続される。ＮＰＮトランジスタＴｒ２２のベースは、抵抗Ｒ２４，Ｒ２５の接続点に接続される。
【００３５】
ここで、ＮＰＮトランジスタＴｒ２２のベースと、抵抗Ｒ２４，Ｒ２５とは、操作スイッチＳＷ２０の状態を検出する操作スイッチ検出回路２３となっており、マイクロコンピュータ２２は、直流電源電圧が供給されてから操作スイッチ検出回路２３の出力が１回目のオンを示した場合に、スイッチ素子２１をオフからオンに切換え、２回目のオンを示した場合に、スイッチ素子２１を設定されたモードに基づいて制御し、３回目のオンを示した場合に、スイッチ素子２１をオフに制御する。
【００３６】
図中、ダイオードＤ２０のカソードは、ダイオードＤ２１のカソードに接続される。ダイオードＤ２１のアノードは、マイクロコンピュータ２２のリセット端子ＲＥＳＥＴに接続されるとともに、コンデンサＣ２１を介してダイオードブリッジ１７の負極側の直流出力端子に接続される。
【００３７】
また、ダイオードＤ２０のカソードは、発光表示手段３１を介してマイクロコンピュータ２２の出力ポートｒ４２，ｒ４３に接続される。
【００３８】
さらに詳細に説明すると、発光表示手段３１は、発光ダイオードＤ３１と、抵抗Ｒ３１，Ｒ３２とから構成されている。
【００３９】
発光ダイオードＤ３１は、そのアノードがダイオードＤ２０のカソードに接続され、その発光ダイオードＤ３１のカソードがそれぞれ抵抗Ｒ３１，Ｒ３２を介してそれぞれマイクロコンピュータ２２の出力ポートｒ４２，ｒ４３に接続される。
【００４０】
また、ダイオードＤ２０のカソードは、それぞれ抵抗Ｒ３３，Ｒ３４を介してそれぞれジャンパーチップＪ１，Ｊ２の一端に接続されている。ジャンパーチップＪ１，Ｊ２の一端は、マイクロコンピュータ２２の入力ポートｒ８１，ｒ８２に接続される。ジャンパーチップＪ１，Ｊ２の他端は、ダイオードブリッジ１７の負極側の直流出力端子に接続される。
【００４１】
選択操作スイッチ４１は、コモン端子Ｃがダイオードブリッジ１７の負局側の直流出力端子に接続され、端子Ａ１，Ａ２，Ａ３がマイクロコンピュータ２２の入力ポートｒ５０，ｒ５１，ｒ５２にそれぞれ接続される。
【００４２】
マイクロコンピュータ２２の端子ＸIN，ＸOUT は、基本クロック周波数発振素子４２に接続される。基本クロック周波数発振素子４２により、マイクロコンピュータ２２は、４ＭＨｚの基本クロック周波数信号を発振する。これにより、マイクロコンピュータ２２は、４ＭＨｚの基本クロック周波数で動作する。
【００４３】
このような接続により、状態表示機能付遅れスイッチ１３は、操作スイッチＳＷ２０と、相対的に明るい照度と暗い照度を交互に切り換えて点灯させる明暗点灯状態を含む複数の状態に制御される発光表示手段３１と、前記操作スイッチＳＷ２０の操作に基づいて負荷を遅れ停止状態を含む複数の状態に切換えて制御するとともに、この負荷の制御に対応して、前記発光表示手段３１の制御を行う制御回路のマイクロコンピュータ２２と、を具備している。
【００４４】
また本実施例は、状態表示装置となっており、この状態表示装置は、相対的に明るい照度と暗い照度を交互に切り換えて点灯させる明暗点灯状態に制御される発光表示手段３１と、少なくとも２つ以上の動作モード毎に、前記発光表示手段３１の明暗の点灯間隔を変更することで、各動作モードを表示する制御回路のマイクロコンピュータ２２と、から構成される。
【００４５】
マイクロコンピュータ２２と発光表示手段３１とによる明暗点灯について、以下に詳細に説明する。
【００４６】
抵抗Ｒ３１，Ｒ３２は、その抵抗値がＲ３１＜Ｒ３２の関係になっている。
【００４７】
マイクロコンピュータ２２の出力ポートｒ４２，ｒ４３がそれぞれローレベル（オン状態），ハイレベル（オフ状態）の場合、発光ダイオードＤ３１からの電流が抵抗Ｒ３１を流れ、発光ダイオードＤ３１は、明点灯する。出力ポートｒ４２，ｒ４３がそれぞれハイレベル，ローレベルの場合、発光ダイオードＤ３１からの電流が抵抗Ｒ３２を流れ、発光ダイオードＤ３１は、暗点灯する。このような作用は、マイクロコンピュータ２２内のプログラムで行われる。
【００４８】
マイクロコンピュータ２２内の基本クロック周波数は４ＭＨｚであり、この基本クロック周波数を２の１３乗＝８１９２で分周すると、４８８Ｈｚとなる。この頻度で割り込みを発生させても、マイクロコンピュータ２２のプログラム上では特に問題にならない。そこで、４８８割り込みが発生したとき、１秒経過したことを意味するので、１秒フラグを立てる。今、抵抗Ｒ３１側の出力ポートｒ４２をローレベルとし、抵抗Ｒ３２側の出力ポートｒ４３をハイレベルとすることにより明るい状態で発光ダイオードＤ３１の点灯を行わせ、１秒フラグをリセットして、明点灯フラグを立てる。次の１秒フラグが立った時、明点灯フラグが立っていれば、抵抗Ｒ３１側の出力ポートｒ４２をハイレベルとし、抵抗Ｒ３２側の出力ポートｒ４３をローレベルとすることにより暗い状態で発光ダイオードＤ３１の点灯を行わせ、明点灯フラグをリセットし、１秒フラグもリセットする。この繰り返しで、発光ダイオードＤ３１を１秒毎に切換えて明暗点灯している。さらに、割込み回数を増大、例えば６７４回とすると、１．３秒毎に切換えて明暗点灯し、割込み回数を減少、例えば３４２回とすると、０．７秒毎に切換えて明暗点灯する。この程度のサイクルの差があれば、３つのモードを表示することができる。
【００４９】
また、明暗点灯としては、明点灯の状態の照度を１００％、暗点灯の状態の照度を５０％から６０％とすることにより、判別が容易で不快感の少ない明暗点灯が可能である。
【００５０】
図３は図１の発明の実施の形態を用いた遅れ消灯機能付きスイッチの外装部を示す正面図である。
【００５１】
図３において、符号５１は遅れ消灯機能付きスイッチ５０の外装部であり、この外装部５１は壁５２に取り付けられている。外装部５１には、プッシュスイッチ（図１の操作スイッチＳＷ１１）の操作部５３が設けられている。操作部５３は、押圧されることにより、導通状態となり、このことによって、図２の照明器具１２は点灯状態（連続点灯モード）から遅れ消灯状態（遅れ消灯モード）、消灯状態から点灯状態の切換えを行う。
【００５２】
外装部５１における左上には、負荷（図２の照明器具１２）が点灯状態の時点灯し、負荷が遅れ消灯状態のとき明暗点灯し、負荷が消灯状態のとき消灯するパイロットランプ５４が設けられている。外装部５１における左下には、図１の選択操作スイッチ４１の操作部５５が設けられている。
【００５３】
このような発明の実施の形態のタイマー動作を以下に説明する。
【００５４】
ダイオードブリッジ１７の出力は、最大値が約１４０Ｖ、最小値が０Ｖの非平滑直流電圧となる。
【００５５】
まず、操作スイッチＳＷ２０がオンすると、立ち上げ用電源回路の電解コンデンサＣ２０が充電され、定電圧ダイオードＺＤ２０の特性で得られる電圧となり、マイクロコンピュータ２２が動作する。と同時にＮＰＮトランジスタＴｒ２２がオンとなり、マイクロコンピュータ２２の入力ポートｒ８０の入力はローレベル（Ｌ）となる。マイクロコンピュータ２２は、そのプログラムで、入力ポートｒ８０がローレベル（Ｌ）となった時、操作スイッチＳＷ２０が押されたと判定する。そして、直流電源電圧が供給されてから操作スイッチ検出回路２３の出力が１回目のオンを示した場合にスイッチ素子２１をオフからオンに切換え、２回目のオンを示した場合に、スイッチ素子２１を設定されたモードに基づいて制御し、スイッチ素子２１をオフ制御する。
【００５６】
ここで、停止状態から電源回路２０の操作スイッチＳＷ２０を一時的（例えば０．５秒程度）にオンすると、電解コンデンサＣ２０に電荷が充電され、マイクロコンピュータ２２に所定値以上の直流電源電圧が供給される。これにより、マイクロコンピュータ２２は、操作スイッチ検出回路２３の出力が１回目のオンを示すことになるため、スイッチ素子２１をオンする。操作スイッチＳＷ２０がオフされても、電解コンデンサＣ２０に持続的に充電電流が流れ、マイクロコンピュータ２２に所定値以上の直流電源電圧が供給され、一方、ダイオードブリッジ１７から充電電流が流れることにより、ダイオードブリッ１７に電流Ｉ１が流れ、トライアックＱ１１の端子Ｔ１と、ゲートＧの間に接続されたゲート抵抗Ｒ１１（抵抗値Ｒ１１）に、トライアックＱ１１を導通状態にするだけのゲート電圧が得られる電圧降下Ｉ１・Ｒ１１（＞ゲートトリガ電圧）が発生し、トライアックＱ１１を導通状態にする。この場合、第１のスイッチ素子となるトライアックＱ１１と第２のスイッチ素子となるスイッチ素子２１は連動してオン・オフされることになる。トライアックＱ１１が導通状態となると、照明器具１２に大電流が流れ、照明器具１２が点灯する。この状態では、連続点灯モードとなっており、マイクロコンピュータ２２は、出力ポートｒ４２，ｒ４３をそれぞれローレベル，ハイレベルで固定し、発光ダイオードＤ３１を一定の照度で点灯させる。
【００５７】
次に、マイクロコンピュータ２２は、直流電源電圧が供給されてから操作スイッチ検出回路２３の出力が２回目のオンを示した場合、ジヤンパーチップＪ１，Ｊ２と選択操作スイッチ４１により以下の表に示すモードとなる。
【００５８】
【表１】
0003850535.tif 000002
但し、表中、Ｏはオープン、Ｓはショート、連続は連続点灯モード，０．５ＨＲ，１ＨＲ，２ＨＲ，４ＨＲ，８ＨＲは、それぞれ０．５時間，１時間，２時間，４時間，８時間の遅れ消灯モードを示している。
【００５９】
マイクロコンピュータ２２は、ジャンパーチップＪ１，Ｊ２と選択操作スイッチ４１により遅れ消灯モードに設定されている場合、設定された時間が経過すると、スイッチ素子２１をオフする。これにより、電解コンデンサＣ２０への充電電流が無くなり、マイクロコンピュータ２２が停止するとともに、トライアックＱ１１が非導通状態となり、照明器具１２が消灯する。この設定された時間が経過して消灯するまでの状態では、遅れ消灯モードとなっており、マイクロコンピュータ２２は、発光ダイオードＤ３１を明暗点灯させる。マイクロコンピュータ２２は、ジャンパーチップＪ１，Ｊ２と選択操作スイッチ４１により連続点灯モードに設定されている場合、発光ダイオードＤ３１を一定の照度で点灯させる。
【００６０】
次に、マイクロコンピュータ２２は、直流電源電圧が供給されてから操作スイッチ検出回路２３の出力が３回目のオンを示した場合、消灯モードとなり、直ぐにスイッチ素子２１をオフする。これにより、マイクロコンピュータ２２が停止するとともに、照明器具１２が消灯する。マイクロコンピュータ２２が停止すると、発光ダイオードＤ３１には電流が流れなくなり、消灯する。
【００６１】
このような発明の実施の形態によれば、少なくとも一つのモードで発光ダイオードＤ３１によるパイロットランプを明暗点灯させている。この場合の明暗点灯は、明滅点灯に比べて、パイロットランプを一瞬しか見なかった場合、パイロットランプが消灯状態であると誤認する可能性が低く、パイロットランプの状態を誤認する確率を低下させることができる。また、明暗点灯は、明滅点灯に比べて不快感が低く、パイロットランプによる表示の煩わしさを低減でき、ユーザーに好印象を与えることができる。
【００６２】
尚、図１乃至図３に示した発明の実施の形態では、負荷を照明器具としたが、換気扇など他の負荷を用いてよい。また、図１乃至図３に示した発明の実施の形態では、負荷の作動状態、遅れ停止状態及び停止状態の３つの状態に対して、それぞれ発光表示手段３１の一定照度による点灯状態、相対的に明るい照度と暗い照度を交互に切り換えて点灯させる明暗点灯状態及び消灯状態にそれぞれ対応させたが、負荷の作動状態、遅れ停止状態に対して、発光表示手段３１の明暗点灯状態、一定照度による点灯状態に対応させてもよく、さらに負荷が停止状態にあっても、マイクロコンピュータ２２を動作状態となるように構成すれば、負荷の作動状態と発光表示手段３１の状態を任意に組合わせることができる。さらに、明暗点灯の周期を切換えることにより、多くの状態やモードを表示することも可能である。
【００６３】
【発明の効果】
本発明によれば、パイロットランプの状態を誤認する確率を低下させるとともに、パイロットランプによる表示の煩わしさを低減でき、ユーザーに好印象を与えることができる。
【図面の簡単な説明】
【図１】本発明に係る状態表示機能付遅れスイッチの実施の形態を示す回路図。
【図２】図１の状態表示機能付遅れスイッチを適用した照明システムにを示すブロック図。
【図３】図１の発明の実施の形態を用いた遅れ消灯機能付きスイッチの外装部を示す正面図。
【図４】従来の保持型スイッチを用いた遅れ消灯機能付きスイッチの外装部を示す正面図。
【図５】図４の遅れ消灯機能付きスイッチの操作部の動作を示す説明図。
【図６】従来のプッシュスイッチを用いた遅れ消灯機能付きスイッチの外装部を示す正面図。
【図７】図６の遅れ消灯機能付きスイッチの操作部の動作を示す説明図。
【符号の説明】
１１    交流電源
１２    照明器具
２０    立ち上げ用電源回路
２１    スイッチ素子
２２    マイクロコンピュータ
３１    発光表示手段
Ｑ１１    トライアック
ＳＷ２０    操作スイッチ
【図１】
0003850535.tif 000003
【図２】
0003850535.tif 000004
【図３】
0003850535.tif 000005
【図４】
0003850535.tif 000006
【図５】
0003850535.tif 000007
【図６】
0003850535.tif 000008
【図７】
0003850535.tif 000009